(57)【要約】【課題】排煙口の下流側の気流を整流し、排煙効率を向上させる。【解決手段】排煙装置１００は、排煙ファン１０４が設けられたダクト１１０に接続され天井１２に開口した排煙口１０２から煙を吸い込む筒部１５０と、排煙口１０２を開閉する開閉蓋１２０と、筒部１５０内に設けられ筒部１５０内の気流を斜め上方に整流する整流部１６０と、を備えている。【選択図】図１
2020182641.tif 000002
【特許請求の範囲】
【請求項１】
排気装置が設けられたダクトに接続され、天井に開口した排煙口から煙を吸い込む筒部と、
前記排煙口を開閉する開閉蓋と、
前記筒部内に設けられ、前記筒部内の気流を斜め上方に整流する整流部と、
を備えた排煙装置。
【請求項２】
前記整流部は、
正面視において、前記筒部内の左右方向の両側に間隔をあけて設けられた一対の第一整流板と、
正面視において、前記第一整流板の下側で、前記筒部内の左右方向の中間部に設けられた第二整流板と、
を有する、
請求項１に記載の排煙装置。
【請求項３】
前記開閉蓋は、
前記左右方向と直交する方向に回転して開閉する、
請求項２に記載の排煙装置。
【発明の詳細な説明】
【技術分野】
【０００１】
本発明は、排煙装置に関する。
【背景技術】
【０００２】
天井に開口する排煙口は、その直下に大きな吸引力が作用する。このため、煙が少ない下層空間の空気を多量に吸い込み、天井下に滞留する煙を効率的に排煙することができない虞がある。
【０００３】
よって、特許文献１では、火災時に排煙口を開閉する円錐形開閉パネルを、自重により降下させることで、円錐形開閉パネルの全周から吸引し、天井下に滞留する煙を排出している。
【０００４】
また、その他関連する技術が、特許文献２及び特許文献３に記載されている。
【先行技術文献】
【特許文献】
【０００５】
【特許文献１】特開平１１−１９３９５４号公報
【特許文献２】特開平０７−２５５８６９号公報
【特許文献３】特開２０１１−１７７３２４号公報
【発明の概要】
【発明が解決しようとする課題】
【０００６】
特許文献１の技術では、排煙口よりも下流側の気流は整流されないので、排煙口の下流側の流速は速い。よって、排煙効率の向上に限界があり、改善の余地がある。
【０００７】
本発明は、上記事実に鑑み、排煙口の下流側の気流を整流し、排煙効率を向上させることが目的である。
【課題を解決するための手段】
【０００８】
第一態様の排煙装置は、排気装置が設けられたダクトに接続され、天井に開口した排煙口から煙を吸い込む筒部と、前記排煙口を開閉する開閉蓋と、前記筒部内に設けられ、前記筒部内の気流を斜め上方に整流する整流部と、を備えている。
【０００９】
第一態様の排煙装置では、筒部内の気流は、整流部によって斜め上方に整流される。また、整流部によって筒部内の流速が低下する。よって、排煙口の周囲の天井下に滞留する煙が効果的に吸い込まれるので、排煙効率が向上する。
【００１０】
第二態様の排煙装置は、前記整流部は、正面視において、前記筒部内の左右方向の両側に間隔をあけて設けられた一対の第一整流板と、正面視において、前記第一整流板の下側で、前記筒部内の左右方向の中間部に設けられた第二整流板と、を有している。
【００１１】
第二態様の排煙装置では、筒部内の左右方向の両側に間隔をあけて設けられた一対の第一整流板と、筒部内の左右方向の中間部の第一整流板の下側に設けられた第二整流板と、で、筒部内の気流が左右方向斜め上方に整流される。このような簡単な構成で、筒部内の気流を斜め上方に整流することができる。
【００１２】
第三態様の排煙装置は、前記開閉蓋は、前記左右方向と直交する方向に回転して開閉する。
【００１３】
第三態様の排煙装置では、開閉蓋は左右方向と直交する方向に回転して開くので、開放された開閉蓋が排煙口の左右方向両外側の気流の流れを阻害しない。
【発明の効果】
【００１４】
本発明によれば、筒部内に設けられた整流部によって、排煙口の下流側の気流が斜め上方に整流されるので、排煙効率が向上する。
【図面の簡単な説明】
【００１５】
【図１】（Ａ）は排煙装置の要部のＸ方向に沿った縦断面図であり、（Ｂ）は（Ａ）の１Ｂ−１Ｂ線に沿った縦断面図である。
【図２】（Ａ）は排煙装置の要部のＸ方向に沿った縦断面図であり、（Ｂ）は（Ａ）の２Ｂ−２Ｂ線に沿った水平断面図である。
【図３】本実施形態の排煙装置、第一比較例の排煙装置及び第二比較例の排煙装置における開閉蓋が開いたときからの経過時間と筒部内の平均の一酸化炭素の濃度（ｋｇ／ｍ３）との関係を示すグラフである。
【図４】（Ａ）は本実施形態の排煙装置における開閉蓋が開いたときからの所定時間後の一酸化炭素の濃度分布を示す濃度分布図であり、（Ｂ）は第一比較例の排煙装置における濃度分布図であり、（Ｃ）は第二比較例の排煙装置における濃度分布図である
【図５】（Ａ）は第一変形例の排煙装置の要部のＸ方向に沿った縦断面図であり、（Ｂ）は（Ａ）の５Ｂ−５Ｂ線に沿った水平断面図である。
【図６】（Ａ）は第二変形例の排煙装置の要部のＸ方向に沿った縦断面図であり、（Ｂ）は（Ａ）の６Ｂ−６Ｂ線に沿った水平断面図である。
【図７】（Ａ）は第三変形例の排煙装置の要部のＸ方向に沿った縦断面図であり、（Ｂ）は（Ａ）の７Ｂ−７Ｂ線に沿った水平断面図である。
【図８】第四変形例の排煙装置の要部のＸ方向に沿った縦断面図である。
【図９】開閉蓋の他の例のＹ方向に沿った縦断面図である。
【図１０】本実施形態の排煙装置が備えられた建物の模式図である。
【発明を実施するための形態】
【００１６】
＜実施形態＞
本発明の一実施形態の排煙装置について説明する。
なお、水平方向の直交する二方向をＸ方向及びＹ方向とし、それぞれ矢印Ｘ及び矢印Ｙで示す。また、Ｘ方向及びＹ方向に直交する鉛直方向をＺ方向とし、矢印Ｚで示す。また、Ｙ方向から見た場合を「正面視」とし、正面視におけるＸ方向が左右方向である。
【００１７】
［構造］
先ず、排煙装置１００の構造について説明する。
【００１８】
図１０に示すように、建物１０に設けられた排煙装置１００は、ダクト１１０、排気装置の一例としての排煙ファン１０４及び筒部１５０を有している。筒部１５０は、天井１２に開口した排煙口１０２を有している（図１も参照）。筒部１５０は、建物１０の各部屋１４に設けられ、それぞれ上端部がダクト１１０に接続されている。
【００１９】
図１に示すように、天井１２には、筒部１５０の排煙口１０２と一致又は略一致する位置に、天井開口１３が形成されている。なお、本実施形態では、天井１２の上面に筒部１５０の下端部に形成されたフランジ１５１が接合されている。また、排煙口１０２よりも天井開口１３の方が若干小さくなっている。しかし、このような構造に限定されるものではない。例えば、筒部１５０の排煙口１０２よりも天井開口１３が大きく、筒部１５０の下端部が天井１２の天井開口１３に嵌め込まれた構成になっていてもよい。
【００２０】
図１に示すように、天井１２には、排煙口１０２を開閉する開閉蓋１２０が設けられている（図１０も参照）。開閉蓋１２０は、Ｙ方向の端部１２２に蝶番１２４が設けられ、Ｙ方向に回転して開閉する（図１（Ｂ）の矢印Ｊを参照）。なお、図１０における右端の部屋１４は開閉蓋１２０が開いた状態であり、図１０の右端以外の三つの部屋１４は開閉蓋１２０が閉じた状態である。
【００２１】
なお、本実施形態では、開閉蓋１２０には、図示していないロック機構が設けられ、ロック機構が解除されることで、開閉蓋１２０が自重によって開くようになっている。
【００２２】
図１０に示すように、各部屋１４には操作盤２０が設けられている。そして、操作盤２０を操作することで、排煙ファン１０４が作動を開始すると共に当該部屋１４の開閉蓋１２０のロック機構が解除され開閉蓋１２０が開くようになっている。
【００２３】
図２（Ｂ）に示すように、本実施形態の筒部１５０は、水平断面が矩形状であり、排煙口１０２（図１参照）も矩形状である。よって、前述の開閉蓋１２０（図１（Ｂ）参照）も同様に矩形板状である。
【００２４】
図１及び図２に示すように、筒部１５０の内部には、排煙口１０２から吸い込まれた空気及び煙を斜め上方に整流する整流部１６０が設けられている。図１（Ａ）及び図２（Ａ）に示すように、整流部１６０は、水平方向に沿って配置された第一整流板１６２Ａ、１６２Ｂと第二整流板１６４とを有している。
【００２５】
一対の第一整流板１６２Ａ、１６２Ｂは、Ｙ方向から見た正面視において、筒部１５０の内部の左右方向の両側に間隔１６６をあけて設けられている。一対の第一整流板１６２Ａ、１６２Ｂは、それぞれ筒部１５０のＸ方向側の内壁１５４に接合されている（図２（Ｂ）も参照）。
【００２６】
第二整流板１６４は、筒部１５０の内部の第一整流板１６２Ａ、１６２Ｂの下側で、Ｘ方向の中間部に設けられている。第二整流板１６４は、筒部１５０のＹ方向両側の内壁１５４に接合されている（図２（Ｂ）も参照）。
【００２７】
図２（Ｂ）に示すように、本実施形態では、Ｚ方向から見た平面視において、第二整流板１６４の左右方向の端部１６５Ａ，１６５Ｂ（図１及び図２（Ａ）も参照）は、第一整流板１６２Ａ、１６２Ｂの先端部１６３Ａ、１６３Ｂよりも外側にあり、第一整流板１６２Ａ、１６２Ｂと重なっている。別の観点から説明すると、第二整流板１６４は、Ｚ方向から見た平面視において、第一整流板１６２Ａと第一整流板１６２Ｂとの間の間隔１６６と完全に重なっている。
【００２８】
なお、本実施形態では、このように第二整流板１６４は、Ｘ方向の端部１６５Ａ、１６５Ｂが第一整流板１６２Ａ、１６２Ｂと重なっているが、これに限定されない。第二整流板１６４のＸ方向の端部１６５Ａ、１６５Ｂのいずれか一方又は両方が、第一整流板１６２Ａ、１６２Ｂと重なっていなくてもよい。別の観点から説明すると、第二整流板１６４は、Ｚ方向から見た平面視において、第一整流板１６２Ａと第一整流板１６２Ｂとの間の間隔１６６と完全に重なっていなくてもよく、少なくとも一部が間隔１６６と重なっていればよい。
【００２９】
なお、図１及び図２（Ａ）に示す前述した開閉蓋１２０は、Ｙ方向の端部１２２に蝶番１２４が設けられ、Ｙ方向に回転して開閉する（図１（Ｂ）の矢印Ｊを参照）。よって、開閉蓋１２０が開いた状態では、板面方向はＸ方向に沿っている。
【００３０】
［作用及び効果］
次に、本実施形態の作用及び効果について説明する。
【００３１】
図１０における建物１０の右端の部屋１４に火災が発生し、煙Ｋが天井１２下に滞留する。部屋１４に在室していた人などが、操作盤２０を操作することで、排煙ファン１０４が作動を開始すると共に当該部屋１４の開閉蓋１２０のロック機構が解除され開閉蓋１２０が開く。これにより、煙Ｋは、排煙口１０２から吸い込まれたのち、ダクト１１０を通り、最終的に建物１０外に排煙される。
【００３２】
排煙口１０２から吸い込まれた煙Ｋは、図２（Ａ）の矢印Ｎで示すように、筒部１５０内のＸ方向の両側に間隔１６６をあけて設けられた一対の第一整流板１６２Ａ、１６２Ｂと、第一整流板１６２Ａ、１６２Ｂの下側でＸ方向の中間部に設けられた第二整流板１６４と、の間を通過することで、筒部１５０内を左右方向斜め上方に整流される。また、第一整流板１６２Ａ、１６２Ｂ及び第二整流板１６４によって左右方向斜め上方に整流されることで、筒部１５０内の流速が低下する。
【００３３】
よって、天井１２下の排煙口１０２（本実施形態では、正確には天井開口１３）の周囲、特にＸ方向両側の天井１２下に滞留する煙Ｋが効果的に吸い込まれるので、排煙効率が向上する。また、このような簡単な構成で、筒部１５０内の気流を斜め上方に整流することができる。
【００３４】
また、開閉蓋１２０はＸ方向と直交するＹ方向に回転して開くので、開放された開閉蓋１２０が排煙口１０２のＸ方向両外側の気流の流れを阻害しない。
【００３５】
ここで、天井１２下の煙Ｋの層厚を厚くして、排煙口１０２から煙Ｋを効果的に吸い込ませるために、天井１２に垂れ壁を設けることがある。前述したように、本実施形態の排煙装置１００は、筒部１５０内に整流部１６０を設けることで、排煙口１０２の周囲の天井１２下に滞留する煙Ｋを効果的に吸い込んで排煙することができる。よって、天井１２下の煙Ｋの層厚が薄くても煙Ｋを吸い込んで排煙することができる。したがって、本実施形態の排煙装置１００を設けることで、垂れ壁を無くす又は削減することができる。
【００３６】
また、排煙装置１００の排煙口１０２には、開閉蓋１２０が設けられている。そして、火災が発生し、煙Ｋが天井１２下に滞留した部屋１４のみの開閉蓋１２０が開放される。よって、全ての部屋１４の開閉蓋１２０が開放される場合と比較し、排煙口１０２から吸い込まれる煙Ｋの流量が確保される。また、吸い込まれた煙Ｋがダクト１１０を通って他の部屋１４に排出されることが防止される。
【００３７】
（排煙効果の向上の詳細）
次に、本実施形態の排煙装置１００を設けることによる排煙効果の向上の詳細について説明する。ここでは、本実施形態の排煙装置１００と、図４（Ｂ）に示す第一比較例及び図４（Ｃ）に示す第二比較例と、を比較して説明する。なお、図４（Ｂ）の第一比較例では、排煙口１０２の下側に整流板９００が設けられている。また、図４（Ｃ）に示す第二比較例では、整流板は設けられてない。
【００３８】
図３のグラフは、開閉蓋１２０が開いたときからの経過時間と、筒部１５０内の平均の一酸化炭素（以降「ＣＯ」と記す）の濃度（ｋｇ／ｍ３）と、の関係を示している。
【００３９】
図４の濃度分布図は、開閉蓋１２０が開いたときから所定時間後におけるＣＯの濃度分布を示している。なお、ドットが密であるほど、ＣＯ濃度が高いことを表している。
【００４０】
図３のグラフから、本実施形態の排煙装置１００を設けた場合は、整流板が設けられていない第二比較例（図４（Ｃ））よりも筒部１５０内の平均のＣＯ濃度が約２倍になっており、効率的に煙Ｋが排出されることが判る。また、排煙口１０２の下側に整流板９００を設けた第一比較例よりも筒部１５０内の平均のＣＯ濃度が高く、本実施形態の排煙装置１００の排煙効果が高いことが判る。
【００４１】
また、図４の濃度分布図から筒部１５０内のＣＯ濃度は、本実施形態の排煙装置１００を設けた場合が最も濃いことが判る。
【００４２】
このように、本実施形態の排煙装置１００を設けることによって、排煙効果が向上することが判る。
【００４３】
［整流部の変形例］
次に、本実施形態の整流部の変形例について説明する。
【００４４】
（第一変形例）
図５に示す第一変形例の排煙装置２００の整流部２６０は、水平方向に沿って配置された第一整流板２６２、第二整流板２６４及び支持部材２６１を有している。
【００４５】
図５（Ｂ）に示すように、第一整流板２６２は、平面視で中央部に矩形状の開口部２６６が形成され、外周部が筒部１５０の内壁１５２、１５４に接合されている。第二整流板２６４は、矩形板状とされ、第一整流板２６２の下側に、平面視の中央部に配置されている。第二整流板１６４は、棒状の支持部材２６１によって支持されている（図５（Ａ）も参照）。
【００４６】
図５（Ｂ）に示すように、本変形例では、Ｚ方向から見た平面視において、第二整流板２６４の外周部２６５の全周は、第一整流板２６２の開口部２６６の外縁部２６３の全周と重なっている。別の観点から説明すると、第二整流板２６４は、Ｚ方向から見た平面視において、第一整流板２６２の開口部２６６と完全に重なっている。
【００４７】
なお、本変形例では、このように第二整流板２６４は、外周部２６５の全周が第一整流板２６２の開口部２６６の外縁部２６３の全周と重なっているが、これに限定されない。第二整流板２６４の外周部２６５の一部又は全周が、第一整流板２６２の開口部２６６の外縁部２６３と重なっていなくてもよい。別の観点から説明すると、第二整流板２６４は、Ｚ方向から見た平面視において、第一整流板２６２の開口部２６６と完全に重なっていなくてもよく、外周部２６５の少なくとも一部が開口部２６６と重なっていればよい。
【００４８】
本変形例では、筒部１５０の内部の全周において斜め上方に整流される。よって、排煙口１０２の周囲の全周において効果的に排煙効果が向上する。
【００４９】
（第二変形例）
図６に示す第二変形例の排煙装置３００の整流部３６０は、傾斜整流板３６２Ａ、３６２Ｂと整流部材３６４とを有している。
【００５０】
図６（Ａ）に示すように、一対の傾斜整流板３６２Ａ、３６２Ｂは、Ｙ方向から見た正面視において、筒部１５０の内部の左右方向の両側に間隔３６６（図６（Ｂ）参照）をあけて設けられている。一対の傾斜整流板３６２Ａ、３６２Ｂは、それぞれ筒部１５０のＸ方向側の内壁１５４に接合されている（図６（Ｂ）も参照）。傾斜整流板３６２Ａ、３６２Ｂは、Ｘ方向の中心に向かって上り勾配となっている。
【００５１】
整流部材３６４は、筒部１５０の内部の傾斜整流板３６２Ａ、３６２Ｂの下側で、Ｘ方向の中間部に設けられている。整流部材３６４は、筒部１５０のＹ方向両側の内壁１５４に接合されている（図６（Ｂ）を参照）。整流部材３６４は、Ｙ方向の中央部に向かって上り勾配の傾斜面３６７Ａ、３６７Ｂを有している。整流部材３６４の傾斜面３６７Ａ、３６７Ｂと傾斜整流板３６２Ａ，３６２Ｂとは平行又は略平行となっている。
【００５２】
図６（Ｂ）に示すように、本変形例では、Ｚ方向から見た平面視において、整流部材３６４のＸ方向の端部３６５Ａ，３６５Ｂ（図６（Ａ）も参照）は、傾斜整流板３６２Ａ、３６２Ｂの先端部３６３Ａ、３６３Ｂよりも外側に位置し、傾斜整流板３６２Ａ、３６２Ｂと重なっている。別の観点から説明すると、整流部材３６４は、Ｚ方向から見た平面視において、傾斜整流板３６２Ａと傾斜整流板３６２Ｂとの間の間隔３６６と完全に重なっている。
【００５３】
なお、本実施形態では、このように整流部材３６４は、Ｘ方向の端部３６５Ａ、３６５Ｂが傾斜整流板３６２Ａ、３６２Ｂと重なっているが、これに限定されない。整流部材３６４のＸ方向の端部３６５Ａ、３６５Ｂのいずれか一方又は両方が、傾斜整流板３６２Ａ、３６２Ｂと重なっていなくてもよい。別の観点から説明すると、整流部材３６４は、Ｚ方向から見た平面視において、傾斜整流板３６２Ａと傾斜整流板３６２Ｂとの間の間隔３６６と完全に重なっていなくてもよく、少なくとも一部が間隔３６６と重なっていればよい。
【００５４】
本変形例では、筒部１５０の内部で、整流部材３６４の傾斜面３６７Ａ、３６７Ｂと傾斜整流板３６２Ａ，３６２Ｂとの間を、傾斜面３６７Ａ、３６７Ｂ及び傾斜整流板３６２Ａ，３６２Ｂに沿って斜め上方に流れる。よって、整流部３６０は、斜め上方に整流する整流効果が高い。
【００５５】
（第三変形例）
図７に示す第三変形例の排煙装置４００の整流部４６０は、傾斜整流板４６２と整流部材４６４とを有している。
【００５６】
図７（Ｂ）に示すように、傾斜整流板４６２は、平面視で中央部に矩形状の開口部４６６が形成され、外周部が筒部１５０の内壁１５２、１５４に接合されている。傾斜整流板４６２は、中央に向かって上り勾配の四枚の傾斜板４６９Ａ、４６９Ｂ、４６９Ｃ、４６９Ｄで構成されている。
【００５７】
整流部材４６４は、傾斜整流板４６２の下側に、平面視の中央部に配置されている。整流部材４６４は、棒状の支持部材４６１によって支持されている（図７（Ａ）も参照）。整流部材４６４は、中央部に向かって上り勾配の傾斜面４６７Ａ、４６７Ｂ、４６７Ｃ、４６７Ｄを有している。つまり、整流部材４６４は、四角錐形状を成している。なお、傾斜面４６７Ａ、４６７Ｂ、４６７Ｃ、４６７Ｄと傾斜整流板４６２の傾斜板４６９Ａ、４６９Ｂ、４６９Ｃ、４６９Ｄとは、平行又は略平行となっている。
【００５８】
図７（Ｂ）に示すように、本変形例では、Ｚ方向から見た平面視において、整流部材４６４の外周部４６５の全周は、傾斜整流板４６２の開口部４６６の外縁部４６３の全周と重なっている。別の観点から説明すると、整流部材４６４は、Ｚ方向から見た平面視において、傾斜整流板４６２の開口部４６６と完全に重なっている。
【００５９】
なお、本変形例では、このように整流部材４６４は、外周部４６５の全周が傾斜整流板４６２の開口部４６６の外縁部４６３の全周と重なっているが、これに限定されない。傾斜整流板４６２の外周部４６５の一部又は全周が、傾斜整流板４６２の開口部４６６の外縁部４６３と重なっていなくてもよい。別の観点から説明すると、整流部材４６４は、Ｚ方向から見た平面視において、傾斜整流板４６２の開口部４６６と完全に重なっていなくてもよく、外周部４６５の少なくとも一部が開口部４６６と重なっていればよい。
【００６０】
本変形例では、筒部１５０の内部で、整流部材４６４の傾斜面４６７Ａ、４６７Ｂ、４６７Ｃ、４６７Ｄと傾斜整流板４６２の傾斜板４６９Ａ、４６９Ｂ、４６９Ｃ、４６９Ｄとの間を、傾斜面４６７Ａ、４６７Ｂ、４６７Ｃ、４６７Ｄと傾斜板４６９Ａ、４６９Ｂ、４６９Ｃ、４６９Ｄに沿って斜め上方に流れる。よって、整流部４６０は、斜め上方に整流する整流効果が高い。
【００６１】
また、筒部１５０の内部の全周において斜め上方に整流される。よって、排煙口１０２の周囲の全周において効果的に排煙効果が向上する。
【００６２】
（第四変形例）
図８に示す第四変形例の排煙装置５００は、傾斜整流板５６２を有している。傾斜整流板５６２は、一端部５６５が筒部１５０の内壁１５２に接合され、他端部５６３に向かって上り勾配とされている。また、他端部５６３と筒部１５０の内壁１５２との間に間隔５６６が形成されている。
【００６３】
本変形例では、筒部１５０の内部で、傾斜整流板５６２に沿って斜め上方に気流が流れる。
【００６４】
＜その他＞
尚、本発明は上記実施形態に限定されない。
【００６５】
例えば、上記実施形態及び変形例では、操作盤２０を操作することで、排煙ファン１０４が作動を開始すると共に当該部屋１４の開閉蓋１２０が開くようになっていたが、これに限定されない。例えば、煙、熱及び炎等を感知する感知器と連動して自動的に排煙ファン１０４が作動を開始し、開閉蓋１２０が開くようになっていてもよい。
【００６６】
また、例えば、上記実施形態及び変形例では、開閉蓋１２０は、Ｙ方向の端部１２２に蝶番１２４が設けられ、ロック機構が解除されることで、自重によって開くようになっていたが、これに限定されない。
【００６７】
例えば、図９に示す開閉蓋１９０のようにＹ方向の中心部に設けた回転軸１９２を中心に回転して開閉する機構であってもよい（図９の矢印Ｊを参照）。また、開閉蓋１９０が回転する機構は、どのようなものであってもよい。例えば、駆動機構で開閉蓋１９０が回転させてもよい。なお、図１の開閉蓋１２０も自重でなく、駆動機構で回転する構成であってもよい。更に、開閉蓋が回転でなく、水平方向にスライドして開閉する構成であってもよい。つまり、開閉蓋は、排煙口１０２を開閉することが可能であればよい。
【００６８】
また、例えば、上記実施形態及び変形例では、筒部１５０は、水平断面形状が矩形状であったが、これに限定されない。例えば、筒部は、水平断面形状が円形の円筒であってもよい。
【００６９】
更に、複数の実施形態及び変形例等は、適宜、組み合わされて実施可能である。また、本発明の要旨を逸脱しない範囲において種々なる態様で実施し得る。
【符号の説明】
【００７０】
１２      天井
１０２      排煙口
１０４      排煙ファン（排気装置の一例）
１００      排煙装置
１１０      ダクト
１２０      開閉蓋
１６０      整流部
１６２Ａ    第一整流板
１６２Ｂ    第一整流板
１６４      第二整流板
１５０      筒部
１９０      開閉蓋
２００      排煙装置
２６０      整流部
３００      排煙装置
３６０      整流部
４００      排煙装置
４６０      整流部
５００      排煙装置
５６２      傾斜整流板（整流部の一例）
【図１】
2020182641.tif 000003
【図２】
2020182641.tif 000004
【図３】
2020182641.tif 000005
【図４】
2020182641.tif 000006
【図５】
2020182641.tif 000007
【図６】
2020182641.tif 000008
【図７】
2020182641.tif 000009
【図８】
2020182641.tif 000010
【図９】
2020182641.tif 000011
【図１０】
2020182641.tif 000012